(57)【要約】【課題】テレビレンズシステムにおけるピント情報の表示において、焦点評価値がピーク値となるフォーカス位置における被写体距離が現在のフォーカス位置における被写体距離に対して被写界深度の範囲内か否かを認識できるように被写界深度に関する情報を表示することにより、カメラマンが必要以上に正確にフォーカス調整を行おうとして時間や労力を費やしてしまう不具合を防止することができるピント情報表示システムを提供する。【解決手段】レンズ装置に接続されたレンズ情報表示装置３０のＬＣＤ３４には横軸をフォーカス位置、縦軸を焦点評価値とするグラフが表示される。また、現在のフォーカス位置を示す指標Ｐが表示されると共に、焦点評価値のピーク点Ｔにおける被写界深度の範囲を示す帯ｎが表示される。【選択図】      図３
2005070474.tif 000002
【特許請求の範囲】
【請求項１】
撮影レンズにより結像された像のコントラストの高低を評価する焦点評価値に基づいてピント情報を表示するピント情報表示システムにおいて、
前記焦点評価値がピーク値となるフォーカス位置における被写体距離が現在のフォーカス位置における被写体距離に対して被写界深度の範囲内か否かを認識できるように被写界深度に関する情報を表示する被写界深度情報表示手段を備えたことを特徴とするピント情報表示システム。
【請求項２】
前記ピント情報は、フォーカス位置と焦点評価値との関係を表示するグラフと、該グラフ上に表示される現在のフォーカス位置を示す指標とからなることを特徴とする請求項１のピント情報表示システム。
【請求項３】
前記被写界深度に基づく情報は、前記グラフ上における焦点評価値のピーク位置に対して被写界深度の範囲を視覚的に表示した情報であることを特徴とする請求項２のピント情報表示システム。
【請求項４】
前記テレビカメラは、焦点距離及び絞り値の変更が可能な光学系を備え、前記被写界深度情報表示手段は、前記光学系の焦点距離及び絞り値を検出し、該検出した値に基づいて前記被写体深度を算出することを特徴とする請求項１乃至３のうちいずれか１に記載のピント情報表示システム。
【発明の詳細な説明】
【技術分野】
【０００１】
本発明はピント情報表示システムに係り、特に撮影レンズにより結像された像のコントラストの高低を評価する焦点評価値に基づいてピント情報を表示するピント情報表示システムに関する。
【背景技術】
【０００２】
テレビ放送用のカメラ等におけるオートフォーカスの方式としてコントラスト方式が知られている。コントラスト方式のオートフォーカスでは、例えば、撮像素子により撮像して得られた映像信号から高域周波数成分の信号が抽出され、その高域周波数成分の映像信号に基づいて撮影レンズにより結像された被写体像のコントラストの高低を評価する焦点評価値が求められる。そして、その焦点評価値がピーク（極大）値となるようにフォーカスが制御される。これによって自動でピント合わせが行われる。
【０００３】
また、本願出願人は、上述のような焦点評価値に基づくピント情報を表示できるようにし、マニュアルフォーカスにおけるピント合わせの目安として、また、オートフォーカスにおける動作確認としてカメラマンが参考にできるようにしたシステムを既に出願している（特願２００３−９８８８８号等）。
【発明の開示】
【発明が解決しようとする課題】
【０００４】
ところで、ピント情報として、例えば、フォーカス位置を横軸、焦点評価値を縦軸とする焦点評価値グラフを表示するようにした場合において、グラフ曲線のピーク位置（合焦点）付近の傾斜が撮影レンズの焦点距離や絞り値によっては急峻となることがある。一方、このようなピント情報を見ながらマニュアルフォーカスによりピント合わせを行う場合、グラフ曲線のピーク位置に対してどの程度までフォーカスを近づければ合焦したとみなせるのかが判断しにくいため、カメラマンはフォーカスをグラフ曲線のピーク位置に正確に一致させようとすると考えられる。そのため、グラフ曲線のピーク位置付近の傾斜が急峻な場合には特にカメラマンが必要以上に正確にフォーカスをピーク位置に合わせようとして時間や労力を費やしてしまうというおそれがあった。
【０００５】
本発明はこのような事情に鑑みてなされたもので、必要以上に正確なフォーカス調整の操作を防止し、時間と労力を軽減するレンズ情報表示システムを提供することを目的とする。
【課題を解決するための手段】
【０００６】
前記目的を達成するために、請求項１に記載の発明は、撮影レンズにより結像された像のコントラストの高低を評価する焦点評価値に基づいてピント情報を表示するピント情報表示システムにおいて、前記焦点評価値がピーク値となるフォーカス位置における被写体距離が現在のフォーカス位置における被写体距離に対して被写界深度の範囲内か否かを認識できるように被写界深度に関する情報を表示する被写界深度情報表示手段を備えたことを特徴としている。
【０００７】
また、請求項２に記載の発明は、請求項１に記載の発明において、前記ピント情報は、フォーカス位置と焦点評価値との関係を表示するグラフと、該グラフ上に表示される現在のフォーカス位置を示す指標とからなることを特徴としている。
【０００８】
また、請求項３に記載の発明は、請求項２に記載の発明において、前記被写界深度に基づく情報は、前記グラフ上における焦点評価値のピーク位置に対して被写界深度の範囲を視覚的に表示した情報であることを特徴としている。
【０００９】
また、請求項４に記載の発明は、請求項１乃至３に記載の発明のうちいずれか１に記載の発明において、前記テレビカメラは、焦点距離及び絞り値の変更が可能な光学系を備え、前記被写界深度情報表示手段は、前記光学系の焦点距離及び絞り値を検出し、該検出した値に基づいて前記被写体深度を算出することを特徴としている。
【発明の効果】
【００１０】
本発明によれば、ピント情報の表示において焦点評価値がピーク値となるフォーカス位置における被写体距離が現在のフォーカス位置における被写体距離に対して被写界深度の範囲内か否かを認識できるように被写界深度に関する情報を表示するようにしたため、カメラマンが必要以上に正確にフォーカス調整を行おうとして時間や労力を費やしてしまう不具合が防止される。
【発明を実施するための最良の形態】
【００１１】
以下添付図面に従って、本発明に係るピント情報表示システムの好ましい実施の形態について詳説する。
【００１２】
図１は、本発明が適用されるテレビ撮影用又はシネマ撮影用のテレビレンズシステムの全体構成を示した制御ブロック図である。まず、テレビレンズシステムにおいて使用されるレンズ装置１０の概略構成について説明する。レンズ装置１０の光学系（撮影レンズ）には、例えば、周知のように、フォーカスレンズ（群）ＦＬ、ズームレンズ（群）ＺＬ、エクステンダレンズ（群）ＥＬ、アイリスＩなどの光学部品が配置されている。また、これらの光学部品のそれぞれに対応してレンズ装置１０には、フォーカスモータＦＭ、ズームモータＺＭ、エクステンダモータＥＭ、及び、アイリスモータＩＭが設けられていると共に、各モータの動力を各光学部品ＦＬ、ＺＬ、ＥＬ、Ｉに伝達する動力伝達機構（ギア列）ＦＧ、ＺＧ、ＥＧ、ＩＧが設けられている。各モータＦＭ、ＺＭ、ＥＭ、ＩＭが回動すると、対応する各光学部品ＦＬ、ＺＬ、ＥＬ、Ｉが駆動され、例えば、フォーカスモータＦＭによりフォーカスレンズＦＬが駆動されると撮影距離（被写体距離）が変化し、ズームモータＺＭによりズームレンズＺＬが駆動されると撮影倍率（焦点距離）が変化する。エクステンダモータＥＭによりエクステンダレンズＥＬが駆動されると撮影倍率が例えば１倍から２倍、又は、２倍から１倍に切り替わり、アイリスモータＩＭによりアイリスＩが駆動されると絞り位置（絞り値）が変化する。
【００１３】
一方、レンズ装置１０には、フォーカスコントローラＦＣ、ズームコントローラＺＣ、エクステンダコントローラＥＣからそれぞれフォーカス制御に関するフォーカス制御信号、ズーム制御に関するズーム制御信号、エクステンダ制御に関するエクステンダ制御信号が与えられると共に、レンズ装置１０が装着されるテレビカメラ本体（以下、カメラ本体という）からアイリス制御に関するアイリス制御信号が与えられるようになっている。これらの制御信号は、例えばアナログ信号であり、レンズ装置１０内におけるＡ／Ｄ変換器１２によりデジタル信号に変換される。
【００１４】
また、レンズ装置１０にはＣＰＵ１４が搭載されており、このＣＰＵ１４には、上記Ａ／Ｄ変換器１２によりデジタル信号に変換された各制御信号が入力されると共に、フォーカスレンズＦＬ、ズームレンズＺＬ、エクステンダレンズＥＬ、アイリスＩのそれぞれの現在位置を示す位置信号が各ポテンショメータＦＰ、ＺＰ、ＥＰ、ＩＰから入力されるようになっている。ＣＰＵ１４は、フォーカス、ズーム、エクステンダ、アイリスに関するそれぞれの制御信号及び位置信号に基づいて、ズームレンズＺＬ、フォーカスレンズＦＬ、エクステンダレンズＥＬ、アイリスＩが各制御信号により指示された目標位置又は目標速度となるように各モータＦＭ、ＺＭ、ＥＭ、ＩＭを駆動するための駆動信号を出力する。
【００１５】
ここで、一般にズーム制御信号は、ズームの目標速度を指示するものであり、その他の制御信号は目標位置を指示するものである。また、ＣＰＵ１４から出力される駆動信号は、各モータの回転速度（回転方向も含む）を指示するものである。
【００１６】
ＣＰＵ１４から出力された駆動信号は、Ｄ／Ａ変換器１６によりアナログ信号に変換され、フォーカスモータＦＭに対する駆動信号はフォーカス用アンプＦＡに入力され、ズームモータＺＭに対する駆動信号はズーム用アンプＺＡに入力され、エクステンダモータＥＭに対する駆動信号はエクステンダ用アンプＥＡに入力され、アイリスモータＩＭに対する駆動信号はアイリス用アンプＩＡに入力される。各アンプＦＡ、ＺＡ、ＥＡ、ＩＡは、入力された駆動信号に応じた回転速度となるように対応する各モータへの印加電圧を制御する。これによって、フォーカスレンズＦＬ、ズームレンズＺＬ、エクステンダレンズＥＬ、アイリスＩが各制御信号により指示された目標位置又は目標速度に設定される。
【００１７】
また、フォーカスの制御に関して本レンズ装置１０では、上記フォーカスコントローラＦＣからのフォーカス制御信号に基づいてフォーカスレンズＦＬを制御するマニュアルフォーカスモードに対して、カメラ本体で撮影された映像に基づいてフォーカスレンズＦＬを制御し、自動でピント合わせを行うオートフォーカスモードを選択できるようになっている。オートフォーカスモードでは、コントラスト方式のオートフォーカスが実行されるようになっており、図１に示すようにレンズ装置１０には、カメラ本体から取得した映像信号（輝度信号）に基づいて焦点評価値を検出する焦点評価値検出部１８が設けられている。焦点評価値はレンズ装置１０の光学系（撮影レンズ）により結像された被写体像のコントラストの高低を評価する値である。
【００１８】
焦点評価値検出部１８は、主としてＡ／Ｄ変換器２０、ハイパスフィルター（ＨＰＦ）２２、ゲート回路２４、加算回路２６とから構成される。カメラ本体からレンズ装置１０に入力された映像信号（輝度信号）は、まず、Ａ／Ｄ変換器２０によりデジタル信号に変換される。デジタル信号に変換された映像信号はＨＰＦ２２に入力され、ＨＰＦ２２により低域周波数成分の信号が遮断されて高域周波数成分の信号のみが抽出される。続いてその高域周波数成分の信号はゲート回路２４に入力され、１画面のうちの所定領域（ＡＦエリア）内の信号のみが抽出される。尚、ゲート回路２４は、映像信号に含まれる同期信号に基づいてＡＦエリアに対応する範囲内の信号を抽出する。ゲート回路２４により抽出されたＡＦエリア内の高域周波数成分の信号は、加算回路２６により１画面（インターレース方式の映像信号の場合には１フィールド分）ごとに積算される。これによって得られた積算値は、被写体像のコントラストの高低を評価する焦点評価値を示し、その値はＣＰＵ１４に順次与えられるようになっている。
【００１９】
ＣＰＵ１４は、オートフォーカスモードにおいて、上記焦点評価値検出部１８から得られる焦点評価値に基づいてフォーカスレンズＦＬの位置を制御し、焦点評価値がピーク（極大）値となる位置にフォーカスレンズＦＬを移動させる。これにより、ピント合わせが自動で行われる。
【００２０】
また、本レンズ装置１０では、市販されているパソコンや携帯端末、または、専用の表示器等の表示機能及び通信機能を有する機器（本実施の形態ではレンズ情報表示装置３０という）をケーブル等によって接続することによってシリアル通信によりレンズ装置１０とそのレンズ情報表示装置３０との間で各種情報のやり取りを行い、レンズ情報表示装置３０に各種レンズ情報を表示させることができるようになっている。尚、本発明は、レンズ情報表示装置３０のようにケーブル等で通信接続される独立した機器ではなく、レンズ装置１０に一体的に設けられた表示器に各種レンズ情報を表示させるシステムであってもよいし、カメラ本体のビューファインダに各種レンズ情報を表示させるシステムであってもよい。即ち、レンズ情報を表示させることができる機能を構築できるシステムであればよい。また、表示可能なレンズ情報の内容も後述するピント情報のみであってもよい。
【００２１】
レンズ情報表示装置３０は、主としてＣＰＵ３２、液晶表示器（ＬＣＤ）３４、表示用ドライバ３６、複数の設定スイッチ３８、シリアルコミュニケーションインターフェース（ＳＣＩ）４０とから構成される。レンズ情報表示装置３０をレンズ装置１０に接続すると、レンズ装置１０の上記ＣＰＵ１４と、レンズ情報表示装置３０のＣＰＵ３２との間でＳＣＩ２８、４０を通じて各種通信が行われるようになっている。レンズ情報表示装置３０のＣＰＵ３２は、設定スイッチ３８によってユーザが指定したレンズ情報をＬＣＤ３４に表示させるため、それに必要なデータをレンズ装置１０のＣＰＵ１４から取得する。そして、そのデータに基づいて設定スイッチ３８により指定されたレンズ情報を表示用ドライバ３６を介してＬＣＤ３４に表示させる。
【００２２】
尚、ＬＣＤ３４に表示可能なレンズ情報として、現在のレンズ設定状態における被写体距離、焦点距離、絞り値等の情報が考えられるが、本実施の形態ではピント情報を表示する場合に限定して説明する。
【００２３】
ピント情報は、オートフォーカスモードやマニュアルフォーカスモード等のモード状態にかかわらずＬＣＤ３４に表示させることが可能であり、その際、レンズ装置１０のＣＰＵ１４は焦点評価値検出部１８から焦点評価値を逐次取得し、そのデータをレンズ情報表示装置３０のＣＰＵ３２に送信する。また、焦点評価値のデータと共にその焦点評価値が得られたときにポテンショメータＦＰから取得したフォーカスレンズＦＬの現在位置のデータもＣＰＵ３２に送信する。これにより、ＣＰＵ３２は、以下の図２に示すピント情報をＬＣＤ３４に表示させる。
【００２４】
図２は、レンズ情報表示装置３０のＬＣＤ３４の画面にピント情報が表示されている状態を示した図である。同図に示すようにＬＣＤ３４の画面上には、横軸方向をフォーカス位置（フォーカスレンズＦＬの位置）、縦軸方向を焦点評価値とした場合のグラフ曲線ｍが表示されるようになっており、フォーカスレンズＦＬが移動して新たなフォーカス位置とそのときの焦点評価値のデータがレンズ装置１０のＣＰＵ１４からレンズ情報表示装置３０のＣＰＵ３２に送信されてくると、そのデータに対応する画面上の座標点が点描画される。従って、フォーカスレンズＦＬが移動することによって同図に示すようなグラフ曲線ｍが描画される。また、画面上にはフォーカスレンズＦＬの現在位置を示す指標Ｐが表示される。例えば、カメラマンはこの焦点評価値情報を見ながらフォーカス操作を行い、指標Ｐが焦点評価値のグラフ曲線のピーク点Ｔに一致（グロス）するようにフォーカスレンズＦＬを動かすことによってピント調整を行うことができる。
【００２５】
図３は、図２のピント情報に加えて被写界深度に関する情報を表示した場合を例示した図である。尚、被写界深度に関する情報の表示は所定の設定スイッチ３８によってオン／オフできるようにしてもよいし、また、ピント情報の表示の際には常時表示させるようにしてもよい。
【００２６】
図３において図２と同様に描画された焦点評価値のグラフ曲線ｍのピーク点Ｔに被写界深度の範囲を示す半透明の帯ｎが表示される。被写界深度は、周知のようにピントが合っているとみなせる被写体距離の範囲であり、撮影レンズの焦点距離をｆ、絞り値（Ｆナンバー）をＦＮｏ、許容錯乱円径をδ、被写体距離をＬとして後方被写界深度Ｌγ及び前方被写界深度Ｌｆはそれぞれ次式（１）、（２）により求められる。
【００２７】
Ｌγ＝（δ・ＦＮｏ・Ｌ2）／（ｆ2−δ・ＦＮｏ・Ｌ）  …（１）
Ｌｆ＝（δ・ＦＮｏ・Ｌ2）／（ｆ2＋δ・ＦＮｏ・Ｌ）  …（２）
レンズ情報表示装置３０のＣＰＵ３２は、上式（１）、（２）によりグラフ曲線ｍのピーク点Ｔにおけるフォーカス位置での被写界深度（Ｌγ及びＬｆ）を求めるため、ポテンショメータＺＰ、ＩＰにより得られたズームレンズＺＬ及びアイリスＩの現在位置のデータをレンズ装置１０から取得し、それに基づいて焦点距離ｆ及びＦナンバーＦＮｏを求める。また、グラフ曲線ｍのピーク点Ｔが得られるときのフォーカス位置、即ち、焦点評価値が最大となったときのフォーカスレンズＦＬの位置に基づいて被写体距離Ｌを求める。尚、後述する図４での処理手順のように焦点距離ｆ及びＦナンバーＦＮｏはレンズ装置１０のＣＰＵ１４が求めてレンズ情報表示装置３０のＣＰＵ３２に与えるようにしてもよい。許容錯乱円径δはシステム条件によって決められる値であり、例えば、走査線の幅を考慮して予め決められた値を用いる。これによって上式（１）、（２）に基づき、ピーク点Ｔのフォーカス位置での被写界深度（Ｌγ及びＬｆ）を求め図３に示すような被写界深度の範囲を示す帯ｎをＬＣＤ３４の画面上に表示させる。
【００２８】
この表示によれば、例えばカメラマンは、指標Ｐを正確にピーク点Ｔに一致させなくても指標Ｐが帯ｎで示される範囲内となるようにフォーカス操作を行うことでピントを合わせることができるため、必要以上に正確にピント合わせを行うことが防止され、ピント合わせに要する時間や労力が低減される。
【００２９】
尚、被写界深度の計算をレンズ装置１０のＣＰＵ１４が行ってレンズ情報表示装置３０のＣＰＵ３２に与えるようにしてもよい。また、図３ではグラフ曲線ｍのピーク点Ｔにおける被写界深度の範囲を表示するようにしたが、フォーカスレンズＦＬの現在位置における被写界深度の範囲を表示するようにしてもよい。この場合に、例えば、フォーカスレンズＦＬの現在位置を示す指標Ｐ上に被写界深度の範囲を示す図３と同様の帯ｎが表示される。フォーカスレンズＦＬが移動すると帯ｎも移動するため、カメラマンはこの帯ｎの範囲内にグラフ曲線ｍのピーク点Ｔが入るようにフォーカス操作を行うことによって容易にピント合わせを行うことができる。
【００３０】
更に図３に示した焦点評価値のグラフにおいて、ポテンショメータＦＰにより検出されるフォーカスレンズＦＬの位置の値をＸとしてＸを横軸にとり、その単位変化量を均等幅で表すとすると（横軸を線形座標軸とすると）、被写体距離Ｌは、横軸上で反比例の関係で表される。即ち、ａ，ｂを定数としてＬ＝（ａ／Ｘ）＋ｂで表される。このとき、フォーカスレンズＦＬの位置を変えて各位置で被写界深度を求め、グラフ上にその範囲を表したとすると、焦点距離ｆ及びＦナンバーＦＮｏが一定であればグラフ上ではフォーカスレンズＦＬの位置にかかわらず被写界深度は略一定の幅をもつとしても精度上の問題はなく、また、後方被写界深度と前方被写界深度が等しいとしても問題はない。従って、ある焦点距離ｆ及びＦナンバーＦＮｏの条件下において、フォーカスレンズＦＬの任意の位置における被写界深度をグラフ上での幅の値として求めることよってフォーカスレンズＦＬの位置に依存しない値としてグラフ上での被写界深度の幅を算出することができる。以下の図４に示す処理においても、この方法を用いており、焦点距離ｆ、ＦナンバーＦＮｏの値から被写界深度（正確にはグラフ上での幅）を求めている。ただし、上式（１）、（２）に基づいてフォーカスレンズＦＬの位置を考慮して正確な被写界深度の値を求め、それに対応するグラフ上の幅をフォーカスレンズＦＬの位置に応じて求め、表示することは当然可能である。
【００３１】
図４は、レンズ情報表示装置３０のＬＣＤ３４に図３のようなピント情報を表示する際のＣＰＵ３２の処理手順を示したフローチャートである。ＣＰＵ３２は、所要の初期設定を行った後（ステップＳ１０）、レンズ装置１０から焦点評価値とフォーカスレンズＦＬの現在位置のデータを受信する（ステップＳ１２）。また、レンズ装置１０から焦点距離ｆとＦナンバーＦＮｏのデータを受信する（ステップＳ１４）。続いて、ステップＳ１２及びＳ１４で取得したデータに基づいて被写界深度（グラフ上での幅）を算出する（ステップＳ１６）。
【００３２】
次に、焦点評価値のピークを検出したか否かを判定する（ステップＳ１８）。例えば、フォーカスレンズＦＬが一定の方向に移動しているときに焦点評価値が増加傾向から減少傾向に切り替わったことを検出した場合には焦点評価値のピークを検出したと判定される。この判定処理において、ＮＯと判定した場合には、図３に示したようにフォーカスレンズＦＬの位置と焦点評価値との関係を示す焦点評価値グラフをＬＣＤ３４の画面上に表示させる処理を実行する（ステップＳ２２）。そして、上記ステップＳ１２の処理に戻り、ステップＳ１２からの処理を繰り返す。
【００３３】
一方、ステップＳ１８においてＹＥＳと判定した場合には、ＬＣＤ３４の焦点評価値グラフ上において、ピーク位置を中心に帯ｎ（図３参照）を表示し、これにより被写界深度を表示する（ステップＳ２０）。そして、上記ステップＳ２２の処理を行った後、ステップＳ１２の処理に戻り、ステップＳ１２からの処理を繰り返す。
【００３４】
以上、上記実施の形態では、図３に示したようなピント情報を表示するための焦点評価値を取得する焦点評価値検出部１８は、オートフォーカスの制御に用いられる回路を兼用したものであるが、焦点評価値検出部１８はオートフォーカスモードの有無に関係なく、ピント情報の表示のために設けられたものであってもよい。
【００３５】
また、上記実施の形態では、焦点評価値検出部１８に入力する映像信号は、カメラ本体から得られるものとしたが、これに限らず、レンズ装置１０に被写体像の焦点評価値を検出するための撮像素子を有する場合等にはその撮像素子から得られた映像信号を焦点評価値検出部１８に入力してもよい。また、焦点評価値検出部１８は、レンズ装置１０以外の装置に搭載されていてもよい。
【００３６】
また、上記実施の形態では図３に示したような焦点評価値グラフ上に帯ｎを表示することによって被写界深度に関する情報をカメラマンに知らせるようにしたが、これ以外の方法により被写界深度に関する情報をカメラマンに知らせるようにしてもよい。例えば、フォーカスレンズＦＬの現在位置が焦点評価値のピーク点における被写界深度の範囲内に入ったときは所定のマークを点灯させ、そうでないときにはそのマークを消灯させる等の方法でもよい。また、ピント情報は、図３のようにグラフ表示する場合に限らず例えば数値等の他の方法によって表示するようにしてもよい。
【００３７】
また、上記実施の形態では焦点評価値のピーク点が１つの場合について説明したが、ピーク点が複数存在する場合があり、この場合には各ピーク点に被写界深度の範囲を示す帯ｎを表示するようにしてもよいし、フォーカスレンズＦＬの現在位置に近いピーク点にのみ被写界深度の範囲を示す帯ｎを表示するようにしてもよい。
【図面の簡単な説明】
【００３８】
【図１】図１は、本発明が適用されるテレビレンズシステムの全体構成を示した制御ブロック図である。
【図２】図２は、ピント情報表示装置のＬＣＤの画面にピント情報が表示されている状態を示した図である。
【図３】図３は、図２のピント情報に加えて被写界深度に関する情報を表示した場合を例示した図である。
【図４】図４は、図３に示したピント情報を表示する際の処理手順を示したフローチャートである。
【符号の説明】
【００３９】
１０…レンズ装置、１４、３２…ＣＰＵ、１８…焦点評価値検出部、２０…Ａ／Ｄ変換器、２２…ハイパスフィルタ、２４…ゲート回路、２６…加算回路、３０…レンズ情報表示装置、３４…液晶表示器（ＬＣＤ）、３８…設定スイッチ、ＦＬ…フォーカスレンズ、ＺＬ…ズームレンズ、Ｉ…アイリス、ＦＰ、ＺＰ、ＩＰ、ＥＰ…ポテンショメータ、Ｐ…指標、ｎ…帯
【図１】
2005070474.tif 000003
【図２】
2005070474.tif 000004
【図３】
2005070474.tif 000005
【図４】
2005070474.tif 000006